(57)【特許請求の範囲】
【請求項１】
収納家具本体とその開口を開閉する扉を備え、閉状態の前記扉を押すとこの扉の閉状態が解除される収納家具において、
前記扉の前面に指の先端を挿入することにより指かかりとなる凹部が、前記扉の一部を凹ませて、かつ斜め上下方向に所定間隔で２つ設けられており、
前記凹部は正面視円形であり、前記凹部の直径が１０〜１５ｍｍである
ことを特徴とする収納家具。
【請求項２】
請求項１に記載の収納家具において、
凹部の断面が楕円の短軸を深さ方向とした半楕円形である
ことを特徴とする収納家具。
【請求項３】
請求項１または２に記載の収納家具において、
水平方向に所定間隔で前記２つの凹部がそれを１組として複数組設けられている
ことを特徴とする収納家具。
【請求項４】
請求項１〜３のいずれか一項に記載の収納家具において、
前記凹部の深さが１〜２ｍｍである
ことを特徴とする収納家具。
【発明の詳細な説明】
【技術分野】
【０００１】
本発明は、収納家具に関する。
【背景技術】
【０００２】
従来、キッチン、居室等における収納家具の扉を押すと、この扉の閉状態を解除する駆動装置を有する収納家具が知られている。この収納家具に、扉等を開くために、例えば、サーボドライブ（ブルム社製）が組み込まれている。（例えば、特許文献１参照）。ところで、駆動装置を有する収納家具の扉には、取っ手がないため、扉の前面がフラットにすることができるという利点がある。
【先行技術文献】
【特許文献】
【０００３】
【特許文献１】特表２００９−５２６５０７号公報
【特許文献２】特開２００９−６２８０９号公報
【発明の概要】
【発明が解決しようとする課題】
【０００４】
しかし、その一方で、取っ手等の目印がないため、扉の押す位置を特定することができなかったり、扉を押す際に指がすべったりして、扉を開くための必要な場所に力を加えることができなかったりする場合があった。
【０００５】
そのため、目印となり、かつ、指がすべるのを防止することにより扉等を開くための必要な場所に力を加えることが可能な収納家具を提供することが望まれる。
【０００６】
本発明は、目印となり、かつ、指がすべるのを防止することにより扉等を開くための必要な場所に力を加えることが可能な収納家具を提供することを目的とする。
【課題を解決するための手段】
【０００７】
上記課題の少なくとも一つを解決するために、請求項１に記載の発明は、例えば、図１〜図５に示すように、
収納家具本体１とその開口１ａを開閉する扉２を備え、閉状態の前記扉２を押すとこの扉２の閉状態が解除される収納家具１００において、
前記扉２の前面に指の先端を挿入することにより指かかりとなる凹部５が、前記扉２の一部を凹ませて、かつ斜め上下方向に所定間隔で２つ設けられており、
前記凹部５は正面視円形であり、前記凹部５の直径が１０〜１５ｍｍである
ことを特徴とする。
【０００８】
請求項１に記載の発明によれば、前記扉２の前面に指の先端を挿入することにより指かかりとなる凹部５が、前記扉２の一部を凹ませて設けられていることにより、目印となり、かつ、指がすべるのを防止することができるため、扉等を開くための必要な場所に力を加えることが可能な凹部を有する収納家具１００を提供することができる。
また、斜め上下方向に所定間隔で前記凹部５が２つ設けられていることにより、凹部５に、人差し指、中指、薬指のうちの２つの指が挿入されるため、より滑りにくくできる。
また、前記凹部５が正面視円形であり、前記凹部５の直径が１０〜１５ｍｍであることにより、指の先端に対して小さすぎず大きすぎない直径であり、適切に扉等を押すことができる。
【０００９】
請求項２に記載の発明は、例えば、図３（ｂ）に示すように、
請求項１に記載の収納家具１００において、
凹部５の断面が楕円の短軸を深さ方向とした半楕円形である
ことを特徴とする。
【００１０】
請求項２に記載の発明によれば、凹部５の断面が楕円の短軸を深さ方向とした半楕円形であることにより、指の先端の形状に近くなり、指に適合し易くなるため、滑りにくくできる。
【００１３】
請求項３に記載の発明は、例えば、図１に示すように、
請求項１または２に記載の収納家具１００において、
水平方向に所定間隔で前記２つの凹部５がそれを１組として複数組設けられている
ことを特徴とする。
【００１４】
請求項３に記載の発明によれば、水平方向に所定間隔で前記２つの凹部５が複数設けられていることにより、水平方向において複数の場所で目印となり、かつ、指がすべるのを防止することができるため、使用者は任意に選択した場所に扉等を開くために必要な力を加えることが可能になる。
【００１５】
請求項４に記載の発明は、例えば、図１〜図５に示すように、
請求項１〜３のいずれか一項に記載の収納家具１００において、
前記凹部５の深さが１〜２ｍｍである
ことを特徴とする。
【００１６】
請求項４に記載の発明によれば、前記凹部５の深さが１〜２ｍｍであることにより、指かかりするのに十分な深さため、適切に扉等を押すことができる。
【発明の効果】
【００１７】
本発明によれば、目印となり、かつ、指がすべるのを防止することにより扉等を開くために必要な場所に力を加えることが可能な凹部を有する収納家具を提供ことができる。
【図面の簡単な説明】
【００１８】
【図１】本発明に係る収納家具の一例を示す図であり、（ａ）は正面図、（ｂ）は図１（ａ）のＩ−Ｉ断面図、（ｃ）は図１（ｂ）のＩＩ−ＩＩ断面図、（ｄ）は側面図である。
【図２】同、（ａ）は図１（ａ）のＩＩＩ−ＩＩＩ断面図、（ｂ）〜（ｄ）は扉２を押したときの駆動装置の動作例を示す図である。
【図３】同、（ａ）は扉の正面図、（ｂ）は図３（ａ）のＩ−Ｉ断面図、（ｃ）は図３（ａ）のＡ部拡大図である。
【発明を実施するための形態】
【００１９】
以下、図面を参照して本発明の実施の形態について、住宅のキッチンを例にして説明する。
【００２０】
＜実施の形態＞
図１に示すように、キッチンの上部の壁１０には、本発明の係る収納家具１００，１０１が左右に離間して取り付けられ、収納家具１００の左側に隣接して冷蔵庫２０が床上に設置されている。
収納家具１００は前面が開口した箱状の収納家具本体１Ａと、その二つの開口１ａ，１ａをそれぞれ開閉する扉２，２を備えている。また、収納家具１０１は、前面が開口した収納家具本体１Ｂとその一つの開口１ａを開閉する扉２を備えている。
そして、収納家具１００，１０１は、それぞれ閉状態の前記扉２を押すとこの扉の閉状態が解除されるようになっている。
ここで、扉とは、収納家具において、収納物を出し入れするために開閉される板状のものをいう。
前記扉２の前面の下部には、指の先端を挿入することにより指かかりとなる凹部５が、前記扉２の一部を凹ませて設けられている。前記凹部５は正面視円形であり、この凹部５の直径は１０〜１５ｍｍ、前記凹部５の深さが１〜２ｍｍであることが望ましい。直径が１０ｍｍより小さいと指がいれづらくなり、直径が１５ｍｍより大きいと指かかりしにくくなる。また、深さが１ｍｍより浅いと指かかりしにくく、深さが２ｍｍより大きいと凹部５にほこりがたまりやすくなる。
【００２１】
前記収納家具１００の収納家具本体１Ａは、背面板１ｂと、この背面板１ｂの両端部に背面板１ｂに垂直に取付けられた２枚の側面板１ｃと、背面板１ｃ間に背面板１ｃと平行に設けられた中板１ｄと、背面板１ｂ、側面板１ｃ、中板１ｄの下部に取付けられた底板１ｅと、背面板１ｂ、側面板１ｃ、中板１ｄの上部に取付けられた天板１ｆとから構成されている。扉２，２は収納家具本体１の開口１ａ，１ａより若干大きい長方形板状のものであり、閉じた状態で開口１ａ，１ａの前に配置されている。また、閉じた状態で扉２，２の対向する端部どうしは当接または近接されたうえで前記中板１ｄの前面に当接されている。また、閉じた状態で扉２の他方の端部は側面板１ｃの前面に当接されている。
前記収納家具１０１の収納家具本体１Ｂは、背面板１ｂと、この背面板１ｂの両端部に背面板１ｂに垂直に取付けられた２枚の側面板１ｃと、背面板１ｂ、側面板１ｃの下部に取付けられた底板１ｅと、背面板１ｂ、側面板１ｃの上部に取付けられた天板１ｆとから構成されている。扉２は前記収納家具本体１Ａの扉２と同じ形状、大きさものものであり、閉じた状態で開口１ａの前に配置されている。また、閉じた状態で扉２の両端部はそれぞれ側面板１ｃ，１ｃの前面に当接されている。
また、前記収納家具１００と収納家具１０１とは、収納家具１０１の左右の幅とほぼ等しい幅だけ離間しており、この離間した部分に循環型フード３０が挿入されている。この循環型フード３０は図示しないコンロの上方に配置されており、当該循環型フード３０の前面板が隣り合う収納家具本体１Ａ，１Ｂに当接されている。
前記収納家具１００と収納家具１０１とが離間している部分の前面には、前記扉２と同じ形状、大きさの扉２ａが閉じた状態で配置されており、この状態において、扉２ａの両端部は収納家具１００の側面板１ｃと収納家具１０１の側面板１ｃの前面に当接されている。この扉２ａによって前記循環型フード３０は隠されている。また、扉２ａの前面には、扉２と同様にして凹部５が設けられている。
前記扉２は、以下のようにして収納家具本体１Ａ，１Ｂに取り付けられている。すなわち、図２に示すように、収納家具本体１Ａ，１Ｂの開口１ａの内部において、収納家具本体１Ａ，１Ｂの両側面に駆動装置４ａが取り付けられ、駆動装置４ａのアーム４ａ１の先端に扉２が取り付けられている。また、扉２ａは収納家具本体１Ａ，１Ｂの対向する外側面に駆動装置４ａが取り付けられ、駆動装置４ａのアーム４ａ１の先端に扉２ａが取り付けられている。
そして、指先の先端によりこの扉２，２ａの前面の凹部５が壁１０方向に押されると、駆動装置４ａは、その動きを内蔵センサが検知し内蔵モータを駆動して、駆動装置４ａのアーム４ａ１をギヤ等の伝達手段により上方に旋回駆動して扉２，２ａを上方に旋回移動させ、開口１ａや前記循環型フード３０の前側が露出されるようになっている。
【００２２】
前記扉２，２ａの前面に設けられた凹部５は、図３（ｂ）に示されるように、その断面が楕円の短軸を深さ方向とした半楕円形である。ここで、半楕円形は正確な半楕円形でなくてもよい。扉２，２ａに浅い凹部５を設けることにより、指の先端がこの凹部５に挿入されるように構成している。そのため、凹部５の平面視の直径に比べて短軸方向の深さが浅い形状であればよい。
【００２３】
また、図１に示されるように、斜め上下方向に所定間隔で前記凹部５が２つ設けられている。２つの凹部５は、正面視円形であり、これらの中心を通る垂線の間隔が２２ｍｍ度であり、これらの中心を通る水平線の間隔が１７．５ｍｍ程度であることが望ましい。ここで、これらの２つの凹部５が、右利き用の凹部５としては下の凹部５に対して上の凹部５が斜め右上に設けられ、左利き用の凹部５としては下の凹部５に対して上の凹部５が斜め左上に設けられていることが望ましい。通常、右手の人差し指、中指、薬指のうち一番長いのは、中指である。ここで、右利きの人が、キッチンの上部に設けられた扉２を押す場合、右手を上方に伸ばして、人差し指、中指で凹部５を押すことが想定される。これとは逆に、左利きの人が、キッチンの上部に設けられた扉２を押す場合、左手を上方に伸ばして、人差し指、中指で凹部５を押すことが想定される。そのため、左利き用の凹部５としては下の凹部５に対して上の凹部５が斜め左上に設けられていることが望ましい。
【００２４】
また、扉２，２ａの前面には、水平方向に所定間隔で前記２つの凹部５がそれを１組として複数組設けられている。これにより、扉２，２ａにおいて、水平方向において複数の場所で、扉２，２ａを押すための目印となり、かつ、扉２，２ａを押す際に指がすべるのを防止することができる。
【００２５】
本実施の形態によれば、前記扉２，２ａの前面に指の先端を挿入することにより指かかりとなる凹部５が、前記扉２の一部を凹ませて設けられていることにより、目印となり、かつ、指がすべるのを防止することができるため、扉等を開くための必要な場所に力を加えることが可能な凹部５を有する収納家具１００を提供することができる。
【００２６】
また、凹部５の断面が楕円の短軸を深さ方向とした半楕円形であることにより、指の先端の形状に近くなり、指に適合し易くなるため、滑りにくくできる。
【００２７】
また、斜め上下方向に所定間隔で前記凹部５が２つ設けられていることにより、凹部５に、人差し指、中指、薬指のうちの２つの指が挿入されるため、より滑りにくくできる。
【００２８】
また、水平方向に所定間隔で前記２つの凹部５が複数設けられていることにより、水平方向において複数の場所で目印となり、かつ、指がすべるのを防止することができるため、使用者は任意に選択した場所に扉等を開くために必要な力を加えることが可能になる。
【００２９】
また、前記２つの凹部５が、右利き用の凹部５としては下の凹部５に対して上の凹部５が斜め右上に設けられ、左利き用の凹部５としては下の凹部５に対して上の凹部５が斜め左上に設けられていることにより、利き手の人差し指、中指、薬指のうちの２つの指が挿入されるため、より滑りにくくできる。
【００３０】
また、前記凹部が正面視円形であり、前記凹部５の直径が１０〜１５ｍｍ、前記凹部５の深さが１〜２ｍｍであることにより、指の先端に対して小さすぎず大きすぎない直径であり、かつ、指かかりするのに十分な深さため、適切に扉等を押すことができる。
【００３１】
（変形例）
上記実施の形態においては、扉２が上方に旋回移動する例について説明したが、これに限られない。左側または右側に開く扉に凹部を設けてもよい。この場合、扉の左側の端部を中心に回転移動する場合は、扉の右側に凹部が設けられ、扉の右側の端部を中心に回転移動する場合は、扉の左側に凹部が設けられる。２つの凹部５がそれを１組として複数組が扉の縦方向に設けられる。また、２つの凹部５が右利き用または左利き用に設けられることについて説明したが、これに限られない。例えば、右利き用または左利き用に３以上の凹部５を設けてもよい。例えば、右利き用に３つの凹部を設けた場合、キッチンの上部に設けられた扉には、人差し指用の凹部と、この凹部の斜め右上方に中指用の凹部と、中指用の凹部の斜め右下方に薬指用の凹部とを設けてもよい。左利き用に３つの凹部を設けた場合、キッチンの上部に設けられた扉には、人差し指用の凹部と、この凹部の斜め左上方に中指用の凹部と、中指用の凹部の斜め左下方に薬指用の凹部とを設けてもよい。また、右利き用および左利き用に凹部を設けてもよい。例えば、右利き用および左利き用に３つの凹部を設けた場合、キッチンの上部に設けられた扉には、右手および左手の人差し指用の凹部と、この凹部の斜め右上方に右手の中指用の凹部と、右手および左手の人差し指用の凹部の斜め左上方に左手の中指用の凹部とを設けてもよい。また、上記実施の形態においては、扉の下部に凹部を水平方向へ千鳥足状に設ける例について説明したが、これに限られない。例えば、扉の全面に凹部を設けてもよい。前面に色々なパターンで凹部を設けることで、意匠として変化のある色々なパターンを有する扉を提供することができる。さらにまた、上述した左右上下方向に開閉される扉の他、押してロックされ、押して開放される機構を備えていれば、引き出しの前板を扉として実施することもできる。上記実施の形態においては、キッチンの収納家具を例に説明したが、これに限られない。建物、住宅の屋内および屋外に設置される収納家具についても本発明は適用可能である。なお、変形例においては、上記実施の形態と同じ部材についての説明を省略する。
【符号の説明】
【００３２】
１     収納家具本体
１ａ   開口
２、２ａ      扉
４ａ、４ｂ    駆動装置
５     凹部
１００ 収納家具
【図１】
0005749585.tif 000002
【図２】
0005749585.tif 000003
【図３】
0005749585.tif 000004